(57)【要約】      （修正有）【課題】コンバインの走行車台の下側に設けた走行装置の走行クローラは、圃場から路上へ上げて、この路上を走行させたときに、走行クローラへ付着した泥等は、路上へ落下するが、この落下した泥等を除去して清掃するロードクリーナ装置を設け、破損を防止しようとするものである。【解決手段】コンバインの走行装置２の下側へ設けた走行装置の走行クローラ３ａを、圃場から路上へ上げて、路上を走行させたときに、落下した泥等を除去して清掃するロードクリーナ装置８を設け、このロードクリーナ装置８の全巾（Ｌ２）は、コンバインの機体１ａの全巾（Ｌ１）以下に構成した。ロードクリーナ装置８は、走行クローラの後端部と、カッタ装置で切断した切断排藁が落下する落下位置との間に設け、ロードクリーナ装置８を支持する支持装置９は、走行クローラ３ａ間に設け、支持装置９を回動させる回動用モータ９ａは、支持装置９の一方側へ設けた構成である。【選択図】図１
2005263163.tif 000002
【特許請求の範囲】
【請求項１】
走行車台２と、下側へ走行クローラ３ａを張設した走行装置３等とを設けたコンバインにおいて、前記走行車台２下側には、コンバイン本体から路上へ落下した泥等を除去して清掃するロードクリーナ装置８の全巾（Ｌ２）を、コンバインの機体１ａの全巾（Ｌ１）以下にして設けたことを特徴とするコンバイン等の落下泥清掃装置。
【請求項２】
前記走行クローラ３ａの後端部と、該脱穀機５後端部へ設けたカッタ装置７で切断して落下する切断済み排藁の落下位置との間であって、走行車台２には、収納自在にロードクリーナ装置８を設けたことを特徴とする請求項１に記載のコンバイン等の落下泥清掃装置。
【請求項３】
コンバインの圃場内走行時において、前記ロードクリーナ装置８を走行車台２下側面より上部へ位置させると共に、ロードクリーナ装置８を使用する清掃時にはロードクリーナ装置８の主清掃ガイド８ａと地面との間には所定の隙間（Ｍ１）を設け、補助清掃ガイド８ｂは、地面へ接触状態に設けたことを特徴とする請求項１、又は請求項２に記載のコンバイン等の落下泥清掃装置。
【請求項４】
前記ロードクリーナ装置８を支持する支持装置９は、走行車台２の下側で、左右両側の走行クローラ３ａ間へ設けると共に、ロードクリーナ装置８を昇降回動する回動用モータ９ａを、支持装置９の一方側へ設けたことを特徴とする請求項１、又は請求項２、又は請求項３に記載のコンバイン等の落下泥清掃装置。
【発明の詳細な説明】
【技術分野】
【０００１】
コンバインの走行装置の走行クローラを、圃場から路上へ上げて、路上を走行させた時に、この走行クローラから落下した泥等を除去して清掃するロードクリーナ装置を設け、このロードクリーナ装置の全巾は、コンバインの機体の全巾以下にして設けた技術であり、コンバイン等の落下泥清掃装置として利用できる。
【背景技術】
【０００２】
コンバインのクローラ式走行装置の走行クローラへ付着した泥等を除去して清掃する装置は、実開平２−１３６７５３号公報で示す如く各転輪、及び後輪等を支持するトラックフレームの上部へ前後方向にパイプを設け、このパイプには、内側から外側へ貫通突出状態に給水口を有する給水口パイプをトラックフレームへ設けると共に、パイプの内側には、前後方向に複数個のノズルを設けた構成である。この走行クローラへ付着した泥を除去するときには、給水口へ、例えば、接続パイプを接続して、給水することにより、ノズルから噴射する水で、泥が洗浄されて、清掃される。圃場から路上へ上り、路上を走行させる前段では、走行クローラの外周、及び内周へ付着した泥は、除去できない構成であった。
【特許文献１】実開平２−１３６７５３号公報
【発明の開示】
【発明が解決しようとする課題】
【０００３】
走行クローラへ付着した泥等の除去は、各転輪、及び後輪等を支持するトラックフレームへ設けた給水口を有する給水口パイプの給水口へ給水すると、この給水パイプからパイプへ設けた各ノズルから水が噴射されて、泥は洗浄されるが、圃場から路上へ上り、路上を走行する前段で付着した泥の除去、及び路上を走行中に落下した泥を除去して清掃を行うことができなく、このために、路上へ泥が多量に落下することがあり、道路がよごれることで、問題になることがある。
【課題を解決するための手段】
【０００４】
このために、この発明は、請求項１に記載の発明においては、走行車台２と、下側へ走行クローラ３ａを張設した走行装置３等とを設けたコンバインにおいて、前記走行車台２下側には、コンバイン本体から路上へ落下した泥等を除去して清掃するロードクリーナ装置８の全巾（Ｌ２）を、コンバインの機体１ａの全巾（Ｌ１）以下にして設けたことを特徴とするコンバイン等の落下泥清掃装置としたものである。
【０００５】
コンバインの刈取機４で刈取りした穀稈の供給を受けて、脱穀機５で脱穀する収穫作業が終了し、次の圃場へ移動するときは、圃場から路上へ上げて、路上を走行させるときには、走行装置３の走行クローラ３ａから路上へ落下する泥等を除去して清掃する。コンバインの機体１ａの全巾（Ｌ１）以下の全巾（Ｌ２）にして設けた、ロードクリーナ装置８を始動操作し、このロードクリーナ装置８で路上へ落下した泥等を路上の一方側端部へ寄せて除去して清掃する。
【０００６】
請求項２に記載の発明においては、前記走行クローラ３ａの後端部と、該脱穀機５後端部へ設けたカッタ装置７で切断して落下する切断済み排藁の落下位置との間であって、走行車台２には、収納自在にロードクリーナ装置８を設けたことを特徴とする請求項１に記載のコンバイン等の落下泥清掃装置としたものである。
【０００７】
前記走行クローラ３ａの後端部と、穀稈を刈取機４、及び脱穀機５で収穫作業し、この脱穀機５の後端部に設けた、カッタ装置７で切断した排藁の切断済み排藁の落下位置との間で、走行車台２へ収納自在に設けたロードクリーナ装置８により、走行クローラ３ａから路上へ落下した泥等を除去して清掃する。
【０００８】
請求項３に記載の発明においては、コンバインの圃場内走行時において、前記ロードクリーナ装置８を走行車台２下側面より上部へ位置させると共に、ロードクリーナ装置８を使用する清掃時にはロードクリーナ装置８の主清掃ガイド８ａと地面との間には所定の隙間（Ｍ１）を設け、補助清掃ガイド８ｂは、地面へ接触状態に設けたことを特徴とする請求項１、又は請求項２に記載のコンバイン等の落下泥清掃装置としたものである。
【０００９】
前記ロードクリーナ装置８は、穀稈を収穫する収穫作業中のときには、走行車台２下側面より、上部へ回動移動させて、上部へ位置させて収穫作業を行う。又、路上へ走行クローラ３ａから落下した泥等を除去して清掃するときは、ロードクリーナ装置８を下方へ回動操作し、このロードクリーナ装置８の主清掃ガイド８ａは、地上面と所定の隙間（Ｍ１）にし、又、補助清掃ガイド８ｂは、地面へ接触状態に下部へ回動操作し、ロードクリーナ装置８を始動操作して、路上の泥等を除去して清掃する。
【００１０】
請求項４に記載の発明においては、前記ロードクリーナ装置８を支持する支持装置９は、走行車台２の下側で、左右両側の走行クローラ３ａ間へ設けると共に、ロードクリーナ装置８を昇降回動する回動用モータ９ａを、支持装置９の一方側へ設けたことを特徴とする請求項１、又は請求項２、又は請求項３に記載のコンバイン等の落下泥清掃装置としたものである。
【００１１】
前記ロードクリーナ装置８を支持する支持装置９は、走行車台２の下側で、左右両側の走行クローラ３ａ間に設け、又、ロードクリーナ装置８を昇降回動させる回動用モータ９ａは、支持装置９の一方側へ設け、穀稈を収穫中のときは、この回動用モータ９ａを正回転始動操作し、ロードクリーナ装置８を上昇回動させる。又、路上の泥等を除去するときには、回動用モータ９ａを逆回転始動操作し、ロードクリーナ装置８を下降回動させて、路上の泥等を除去して清掃する。
【発明の効果】
【００１２】
請求項１に記載の発明においては、コンバインを圃場から路上へ上げて、路上を走行させた時に、走行装置３の走行クローラ３ａへ付着した泥が路上へ落下するが、この泥を除去して、清掃するロードクリーナ装置８の全巾（Ｌ２）を、コンバインの機体１ａの全巾（Ｌ１）以下にして設けたことにより、このロードクリーナ装置８で泥除去作業中に、他の障害物へこのロードクリーナ装置８が当接することなく、このために、破損することがない。
【００１３】
請求項２に記載の発明においては、前記走行クローラ３ａの後端部と、脱穀機５で脱穀済み排藁を、この脱穀機５のカッタ装置７で切断され、落下する落下位置との間で、走行車台２へ収納自在にロードクリーナ装置８を設けたことにより、泥除去作業中以外は、このロードクリーナ装置８は、上方へ回動されていることにより、湿田圃場、又は通常圃場で収穫作業走行の時に問題になることがない。又、カッタ装置７で切断した切断排藁が、ロードクリーナ装置８へ堆積することを防止できる。
【００１４】
請求項３に記載の発明においては、ロードクリーナ装置８は、穀稈を収穫作業のときは、走行車台２下側面より、上部へ位置され、又、清掃時には、主清掃ガイド８ａは、地面と所定の隙間（Ｍ）を有し、補助清掃ガイド８ｂは、地面へ接触状態に設けたことにより、湿田圃場で収穫作業のときでも問題になることがなく、又、主清掃ガイド８ａは、地面へ接触しないことにより、破損することがなく、補助清掃ガイド８ｂは、地面に凹凸があっても追従することにより、確実に泥の除去ができる。
【００１５】
請求項４に記載の発明においては、ロードクリーナ装置８の支持装置９は、走行クローラ３ａ，３ａ間へ設け、支持装置９を回動する回動用モータ９ａは、この支持装置９の一方側へ設けたことにより、この支持装置９がコンパクトな構成となる。又、回動用モータ９ａは、地面から高所位置へ設けられていることにより、湿田圃場で収穫作業であっても、この回動用モータ９ａへ水の進入を防止できる。
【発明を実施するための最良の形態】
【００１６】
以下、本発明の一実施例を図面に基づいて説明する。
【００１７】
コンバイン１の走行車台２の下側には、走行クローラ３ａを張設した走行装置３を設け、前方部には、穀稈を刈取る刈取機４を設け、更に上側面には、刈取り穀稈を受けて、脱穀する脱穀機５を設けた構成である。この脱穀機５の後端部には、脱穀済み排藁を切断するカッタ装置７を設けた構成である。走行クローラ３ａへ付着した泥等が、路上を走行させたときに、路上へ落下するこの落下した泥等を除去して、清掃するロードクリーナ装置８を走行車台２へ昇降回動自在に、支持装置９を介して設けた構成である。この支持装置９は、回動用モータ９ａにより、昇降回動される構成である。走行車台２と、ロードクリーナ装置８と、支持装置９等とを主に図示して説明する。
【００１８】
前記コンバイン１の走行車台２の下側には、図７で示す如く土壌面を走行する左右一対の走行クローラ３ａを張設した走行装置３を配設し、走行車台２の上側には、脱穀機５を載置した構成である。走行車台２の前方部の刈取機４で立毛穀稈を刈取りし、この刈取り穀稈は、この刈取機４で後方上部へ移送され、脱穀機５のフィードチェン６ａと、挟持杆６ｂとで引継ぎされて、挟持移送されながら脱穀される。脱穀済みで選別済み穀粒は、脱穀機５の右横側に配設した穀粒貯留タンク１０内へ一時貯留される。
【００１９】
前記走行車台２の前方部には、図７で示す如く前端位置から立毛穀稈を分離するナローガイド１１ａ、及び各分草体１１ｂと、立毛穀稈を引起す各引起装置１１ｃと、引起された穀稈を掻込みする穀稈掻込移送装置１２の各掻込装置１２ａと、掻込された穀稈を刈取る刈刃装置１１ｄと、刈取りされた穀稈を挟持移送して、脱穀機５のフィードチェン６ａと、挟持杆６ｂとへ受渡しする穀稈掻込移送装置１２の根元・穂先移送装置１３ａ・１３ｂ等からなる刈取機４を設けている。該刈取機４は、油圧駆動による伸縮シリンダ１４により、土壌面に対して、昇降自在に移動する構成である。
【００２０】
前記刈取機４の前方下部から後方上部へ傾斜する支持杆１５ａの上端部には、左右方向に支持パイプ杆１５ｂを設け、この支持パイプ杆１５ｂを走行車台２の上側面に設けた支持装置１５ｃで回動自在に支持させて、伸縮シリンダ１４の作動により、刈取機９は支持パイプ杆１５ｂを回動中心として、上下に回動する構成である。
【００２１】
前記刈取機４の穀稈掻込移送装置１２によって形成される穀稈移送経路中には、刈取られて移送される穀稈に接触作用することにより、脱穀機５へ穀稈の供給の有無を検出する穀稈センサ４ａを設けた構成である。
【００２２】
前記穀粒貯留タンク１０側の前部には、図７で示す如くコンバイン１を始動、停止、及び各部を調節等の操作を行う操作装置１６ａと、これら操作を行う作業者が搭乗する操縦席１６ｂとを設け、この操縦席１６ｂの下側で、走行車台２の上側面には、エンジン１７を載置すると共に、後方部には、穀粒貯留タンク１０を配設する。これら走行装置３と、刈取機４と、脱穀機５と、エンジン１７等により、コンバイン１の機体１ａを形成した構成である。
【００２３】
前記刈取機４の根元・穂先移送装置１３ａ，１３ｂで後方上部へ移送される刈取り穀稈は、脱穀機５のフィードチェン６ａと、挟持杆６ｂとへ供給され、脱穀機５の脱穀室５ａ内を挟持移送中に脱穀され、脱穀済みで、選別済みの穀粒は、穀粒貯留タンク１０内へ供給され、一時貯留される構成である。脱穀済み穀稈を排出する排藁は、フィードチェン６ａと、挟持杆６ｂとにより、排藁チェン（図示せず）へ引継されて移送され、脱穀機５の後方部へ設けたカッタ装置７へ供給され、このカッタ装置７内で所定の長さに切断され、圃場表面へ排出される構成である。
【００２４】
前記走行車台２の前端部に装架した走行用のミッションケース１８内の伝動機構１８ａの伝動経路中には、その出力に基づいて、走行車速を検出するポテンションメータ方式の車速センサ１８ｂを設けた構成である。ミッションケース１８伝動機構１８ａの左右両側へ突出させて走行車軸１８ｃを軸支して設け、この走行車軸１８ｃの軸端部には、駆動スプロケット１８ｄを軸支して設け、この駆動スプロケット１８ｄと、走行車台２のローラフレーム２ａへ軸支した複数個の転輪１８ｅと、後輪１８ｆとには、走行クローラ３ａを張設した構成である。
【００２５】
前記穀粒貯留タンク１０内に貯留した穀粒を機外へ排出するこの穀粒貯留タンク１０の後側には、縦移送螺旋１９ａを内装した排出支持筒１９を略垂直姿勢で旋回自在に装着して設け、この排出支持筒１９の上端部には、その全長がコンバイン１の前後長に亘る機外へ穀粒を排出する排出螺旋２０ａを伸縮自在に内装した排出オーガ２０を伸縮自在、上下回動自在、及び左右旋回自在に前後方向に配設した構成である。
【００２６】
前記コンバイン１で収穫作業が終了して、このコンバイン１を圃場から路上へ上げて、この路上を走行させると、走行装置３の走行クローラ３ａへ外周部等へ付着していた圃場の泥等が、路上へ落下するが、この落下した泥を除去して、路上を清掃するロードクリーナ装置８を走行車台２の下側に、図１〜図３、図５、及び図６で示す如く設けた構成である。このロードクリーナ装置８の詳細構成は、後述する。
【００２７】
前記ロードクリーナ装置８の全巾（Ｌ２）は、図１で示す如くコンバイン１の機体１ａの全巾（Ｌ１）以下に形成して設け、コンバイン１の機体１ａより、ロードクリーナ装置８が突出しない構成である。
【００２８】
前記コンバイン１を圃場から路上へ上げて、路上を走行させた時に、走行装置３の走行クローラ３ａへ付着した泥等が路上へ落下するが、この泥等を除去して、清掃するロードクリーナ装置８の全巾（Ｌ２）を、コンバインの機体１ａの全巾（Ｌ１）以下にして設けたことにより、このロードクリーナ装置８で泥等を除去作業中に、他の障害物へこのロードクリーナ装置８が当接することなく、このために、破損の発生がない。
【００２９】
前記ロードクリーナ装置８は、図５、及び図６で示す如く走行装置３の走行クローラ３ａの後端部と、脱穀機５で脱穀した脱穀済み排藁は、この脱穀機５後端部へ設けたカッタ装置７へ供給され、このカッタ装置７で所定長さに切断され、この切断済み排藁は、圃場面へ排出されるが、この排出落下位置との間に設けると共に、平面視脱穀機５側を広く、穀粒貯留タンク１０側を狭くすべく、傾斜させて設けた構成である。又、ロードクリーナ装置８は、走行車台２へ、図６で示す如く収納自在に設けた構成である。
【００３０】
前記走行クローラ３ａの後端部と、脱穀機５で脱穀済み排藁は、この脱穀機５の後端部のカッタ装置７で切断されて、落下する落下位置との間で、走行車台２へ収納自在で、更に平面視脱穀機５側を広く、穀粒貯留タンク１０側を狭くして、ロードクリーナ装置８を設けたことにより、湿田圃場、又は通常の乾田圃場で収穫作業走行時に、このロードクリーナ装置８が上昇操作されていることにより、泥を押すことがなく、又、カッタ装置７で切断した切断排藁が、ロードクリーナ装置８上へ堆積することを防止できる。
【００３１】
前記ロードクリーナ装置８は、図１、及び図３で示す如く主清掃ガイド８ａのみ設けた型式と、図２、図４、図５、及び図７で示す如くこの主清掃ガイド８ａと、補助清掃ガイド８ｂとの両者を設けた型式とよりなる構成である。
【００３２】
前記ロードクリーナ装置８は、主清掃ガイド８ａのみを設けた型式を説明する。図１、及び図３で示す如く前・後ケース２１ａ，２１ｂの左右両端部には、左・右プーリ２２ａ，２２ｂを、回転自在な左・右支持軸２２ｃ，２２ｄで軸支した構成である。これら左・右プーリ２２ａ，２２ｂは、中央部へＶ字状の溝部を設け、この溝部へ平ベルト２３のＶ字状の突出部を挿入すると共に、直線形状部へこの平ベルト２３を掛け渡した構成である。この平ベルト２３には、主清掃ガイド８ａを所定間隔を設けて、装着した構成である。
【００３３】
前記主清掃ガイド８ａは、樹脂材（強度のある）等によりなるＬ字形状の取付板２４ａへ左右方向へ所定間隔に設けて、樹脂材（強度のある）等よりなる多数本のブラシ２４ｂを前後方向に所定巾で、左右方向に所定厚みに植設した構成である。この取付板２４ａを平ベルト２３へ取付ピンと、ナット等により、装着して設けた構成である。この平ベルト２３は右側から左側へ向けて回転駆動する構成である。又、ブラシ２４ｂに変えて鉄板材よりなる掻込板で形成する構成とするもよい。
【００３４】
前記ロードクリーナ装置８の回転駆動は、走行車台２の左側へ載置した脱穀機５に、二番処理物を再脱穀処理する二番処理室５ｂへ揚送還元する二番還元装置５ｃへ連通する二番選別室５ｄへ内装した二番移送螺旋軸を軸支する二番ケースへ内装した各ベベルギャーを軸支したベベル軸へ設けた二番プーリ（共に図示せず）と、ロードクリーナ装置８の左支持軸２２ｃへ軸支したクリーナプーリとには、ベルト（共に図示せず）を掛け渡した構成であり、ロードクリーナ装置８の主清掃ガイド８ａを回転駆動させて、各ブラシ２４ｂで路上へ落下した泥等を除去して、清掃する構成である。左・右支持軸２２ｃ，２２ｄのいずれか一方を、モータを設けて、回動駆動する構成とするもよい。
【００３５】
前記走行車台２の後側面へ左右方向に所定間隔に設けた左・右支持メタル２ｂ，２ｃで、図１で示す如く支持装置９を支持させて、設けた構成である。この支持装置９の支持軸９ｃは、左・右支持メタル２ｂ，２ｃへ挿入して軸支した構成である。この支持軸９ｃには、左・右支持杆９ｄ，９ｅの基部を固着して設け、先端部は、ロードクリーナ装置８の主清掃ガイド８ａ後側の後ケース２１ｂへボルト等により、装着した構成である。
【００３６】
前記支持装置９を回動させる回動用モータ９ａは、走行車台２の後側面の右支持メタル２ｂの右側部へ装着して設け、この回動用モータ９ａのモータ軸９ｂと、支持装置９の支持軸９ｃとは、接続させた構成であり、回動用モータ９ａの正逆回転により、支持装置９の支持軸９ｃは、正逆回転され、ロードクリーナ装置８の主清掃ガイド８ａは、支持装置９を介して、昇降回動制御される構成である。路上の泥等を除去して、清掃するときには、ロードクリーナ装置８の主清掃ガイド８ａの各ブラシ２４ｂは、路上面へ接触状態で回転駆動される構成である。
【００３７】
前記ロードクリーナ装置８は、主清掃ガイド８ａと、補助清掃ガイド８ｂとの両者を設けた型式を説明する。図２、図４、図５、及び図７で示す如く前・後ケース２１ａ，２１ｂの左右両端には、左・右プーリ２２ａ，２２ｂを、回転自在な左・右支持軸２２ｃ，２２ｄで軸支した構成である。これら左・右プーリ２２ａ，２２ｂは、中央部へＶ字状の溝部を設け、この溝部へ平ベルト２３のＶ字状の突出部を挿入すると共に、直線形状部へこの平ベルトを掛け渡した構成である。この平ベルト２３には、主清掃ガイド８ａと、補助清掃ガイド８ｂとを所定間隔を設けて、装着した構成である。
【００３８】
前記主清掃ガイド８ａは、樹脂材（強度のある）等によりなるＬ字形状の取付板２４ａへ左右方向に所定間隔に設けて、樹脂材（強度のある）等よりなる多数本のブラシ２４ｂを前後方向に所定巾で、左右方向に所定厚みに植設した構成である。この取付板２４ａを平ベルト２３の前側部へ取付ピンと、ナット等により、装着して設けた構成である。又、ブラシ２４ｂに変えて鉄板材よりなる掻取板で形成する構成とするもよい。
【００３９】
前記補助清掃ガイド８ｂは、樹脂材（強度のある）等によりなるＬ字形状の補助取付板２５ａへ左右方向に所定間隔に設けて、樹脂材（強度のある）等よりなる多数本の補助ブラシ２５ｂを前後方向に所定巾で、左右方向に所定厚みに植設した構成であり、この補助取付板２５ａを平ベルト２３の後側部へ取付ピンと、ナット等により、装着して設けた構成である。この平ベルト２３は右側から左側へ向けて回転駆動する構成である。
【００４０】
前記ロードクリーナ装置８の回転駆動は、走行車台２の左側部へ載置した脱穀機５に、二番処理物を再脱穀処理する二番処理室５ｂへ揚送還元する二番還元装置５ｃへ連通する二番選別室５ｄへ内装した二番移送螺旋軸を軸支する二番ケースへ内装した各ベベルギャーを軸支したベベル軸へ設けた二番プーリ（共に図示せず）と、ロードクリーナ装置８の左支持軸２２ｃへ軸支したクリーナプーリとには、ベルト（共に図示せず）を掛け渡した構成であり、ロードクリーナ装置８の主・補助清掃ガイド８ａ，８ｂを回転駆動させて、各ブラシ２４ｂ、及び各補助ブラシ２５ｂで路上へ落下した泥等を除去して、清掃する構成である。左・右支持軸２２ｃ，２２ｄのいずれか一方を、モータを設けて、回動駆動する構成とするもよい。
【００４１】
前記走行車台２の後側面へ左右方向に所定間隔に設けた左・右支持メタル２ｂ，２ｃで、図１で示す如く支持装置９を支持させて、設けた構成である。この支持装置９の支持軸９ｃは、左・右支持メタル２ｂ，２ｃへ挿入して、軸支した構成である。この支持軸９ｃには、左・右支持杆９ｄ，９ｅの基部を固着して設けると共に、先端部は、ロードクリーナ装置８の補助清掃ガイド８ｂ後側の後ケース２１ｂへボルト等により、装着して設けた構成である。
【００４２】
前記支持装置９を回動させる回動用モータ９ａは、走行車台２の後側面の右支持メタル２ｂの右側部へ装着して設け、この回動用モータ９ａのモータ軸９ｂと、支持装置９の支持軸９ｃとは、接続させた構成であり、回動用モータ９ａの正逆回転により、支持装置９の支持軸９ｃは、正逆回転され、ロードクリーナ装置８の主・補助清掃ガイド８ａ，８ｂは、支持装置９を介して、昇降回動制御される構成である。
【００４３】
前記主清掃ガイド８ａと、補助清掃ガイド８ｂとの両者を設けた、ロードクリーナ装置８は、図２、及び図４で示す如く穀稈を収穫時には、回動用モータ９ａを正回転操作することにより、走行車台２の下側面より、上部へ位置すると共に、路上へ落下した泥等を除去して清掃する清掃時には、ロードクリーナ装置８の前側の主清掃ガイド８ａの各ブラシ２４ｂの下端部は、路上面（地面）と所定の隙間（Ｍ１）を設けた構成である。又、後側の補助清掃ガイド８ｂの各補助ブラシ２５ｂの下端部は、路上面（地面）へ接触する状態に設けた構成である。
【００４４】
前記ロードクリーナ装置８は、穀粒を収穫作業時は、走行車台２の下側面より、上部へ位置すると共に、路上へ落下した泥等を清掃時には、前側の主清掃ガイド８ａの下端部は、地面との所定の隙間（Ｍ１）を有し、補助清掃ガイド８ｂの下端部は、地面へ当接状態にして設けたことにより、湿田圃場で収穫作業のときでも、ロードクリーナ装置８で泥を押す問題の発生がない。又、主清掃ガイド８ａは、地面へ接触しないことにより、破損することがなく、補助清掃ガイド８ｂは、地面に凹凸があっても追従することにより、確実に泥等の除去ができる。
【００４５】
前記ロードクリーナ装置８を支持する支持装置９は、図１で示す如く走行車台２の下側で、左右両側の走行クローラ３ａ間へ設けると共に、ロードクリーナ装置８を昇降回動させる回動用モータ９ａは、支持装置９の一方側、例えば、左側へ設けた構成である。
【００４６】
前記ロードクリーナ装置８の支持装置９は、走行クローラ３ａ，３ａ間へ設け、支持装置９を回動する回動用モータ９ａは、この支持装置９の一方側へ設けたことにより、この支持装置９がコンパクトに構成となる。又、回動用モータ９ａは、地面から高所位置へ設けられていることにより、湿田圃場での収穫作業であっても、この回動用モータ９ａへ水の進入を防止できる。
【００４７】
前記ロードクリーナ装置８の移送終端部の後方部には、図８、及び図９で示す如くこのロードクリーナ装置８の主清掃ガイド８ａで一方側の左側へはき寄せられた泥等をすくい取って、収容する収納装置２６を設けた構成である。
【００４８】
前記収納装置２６は、一方側面が開口２６ｂした略箱形状の収納箱２６ａは、前・後ケース２１ａ，２１ｂの上側面へボルト、及びナット等により、装着して設けた取付板２７へ収納箱２６ａの上側面をボルト、及びナット等により、装着して設けた構成である。
【００４９】
前記収納装置２６の収納箱２６ａの左右両側には、車軸２７ｂを設け、路上面を走行する車輪２７ａを、この車軸２７ｂへ軸支して設けると共に、収納箱２６ａの底板２６ｃの前端部は、前方へ所定角度で下り傾斜させて、泥等のすくい取りを容易にした構成である。
【００５０】
これにより、前記ロードクリーナ装置８により、一方側（左側）へはき寄せられた泥等は、移送終端部の後側へ設けた収納装置２６により、すくい取られることによって、路上の端部へ寄せられて放置されることがなくなる。
【００５１】
前記ロードクリーナ装置８の後ケース２１ｂの後側面には、図１０、及び図１１で示す如く支持板２８を固着して設けた構成である。この支持板２８には、ゴム材、又は樹脂材等よりなる保持板２８ａを、ボルト、及びナット等により、装着して設け、路上へ落下した泥等をロードクリーナ装置８により、はき寄せらずに残った泥等を寄せて、再度このロードクリーナ装置８で一方側（左側）へはき寄せる構成である。
【００５２】
これにより、前記保持板２８ａにより、ロードクリーナ装置８により、はき寄せられずに残った泥等を寄せて、再度このロードクリーナ装置８ではき寄せることにより、路上へ落下した泥等は、確実に除去することができる。
【００５３】
前記ロードクリーナ装置８の主清掃ガイド８ａは、図１２、及び図１３で示す如く平ベルト２３には、所定間隔で鉄板材よりなる取付板２９を取付ピン、及びナット等で装着して設けると共に、この取付板２９には、網材で線材よりなるブラシ２９ａを多数本を固着して設け、このブラシ２９ａの上部には、スプリング機構２９ｂを設けると共に、下端部は回転方向とは、逆へ折曲した折曲部２９ｃを設けた構成である。
【００５４】
これにより、路上へ落下した大きな泥等のかたまりがあったときでも、この大きな泥等のかたまりを、確実に除去することができる。
【００５５】
前記ロードクリーナ装置８の主清掃ガイド８ａの前・後ケース２１ａ，２１ｂの上側面には、図１４で示す如く主清掃ガイド８ａと略同じ巾の鉄板製の取付板３０を、ボルト、及びナット等で装着して設けると共に、この取付板３０の下端部には、同じ巾のゴム材、又は樹脂材等よりなり、路上面へ追従する飛散防止板３０ａを、ボルト、及びナット等で装着して設けた構成である。この飛散防止板３０ａは上方へ折り畳みして、ボルト、及びナット等で装着可能に設けた構成である。
【００５６】
これにより、前記飛散防止板３０ａにより、泥等の飛散位置を、路上の端部、又は、圃場内へ排出させることができる。
【００５７】
前記ロードクリーナ装置８の主清掃ガイド８ａの前・後ケース２１ａ，２１ｂの上側面には、図１５で示す如く支持メタル３１を装着して設け、この支持メタル３１には、支持杆３２を左右移動自在に挿入して軸支すると共に、丁ボルト３１ａにより、任意の所定位置へ固定する構成である。
【００５８】
前記支持杆３２の左端部には、図１５で示す如く鉄板製の取付板３０を固着して設けると共に、この取付板３０の下端部には、ゴム材、又は樹脂材等よりなる飛散防止板３０ａを、ボルト、及びナット等で装着して設けた構成である。この飛散防止板３０ａの位置を、支持杆３２を左右へ移動操作することにより、路上の泥等の排出位置を変更する構成である。
【００５９】
これにより、前記ロードクリーナ装置８の主清掃ガイド８ａではき出される泥等の排出位置を任意の位置へ変更することができる。
【００６０】
前記ロードクリーナ装置８の主清掃ガイド８ａの後ケース２１ｂの左端後側面には、図１６で示す如く後支持メタル３３を装着して設け、この後支持メタル３３には、略Ｌ字形状の上下支持杆３４を上下移動自在に挿入して軸支すると共に、丁ボルト３１ａにより、任意の所定位置へ固定する構成である。
【００６１】
前記上下支持杆３４の左側端部には、図１６で示す如く鉄板材よりなる取付板３０を固着して設けると共に、この取付板３０の下端部には、ゴム材、又樹脂材等よりなり、下方部で固定したときには、路上面へ追従する飛散防止板３０ａを、ボルト、及びナット等で装着した構成である。この飛散防止板３０ａを最上部へ調節移動して、固定したときには、主清掃ガイド８ａにより、泥等は遠くへ排出される構成である。
【図面の簡単な説明】
【００６２】
【図１】ロードクリーナ装置の全体拡大背面図
【図２】ロードクリーナ装置の全体拡大背面図
【図３】ロードクリーナ装置の拡大断面図
【図４】ロードクリーナ装置の拡大断面図
【図５】ロードクリーナ装置の拡大側面図
【図６】ロードクリーナ装置の拡大側面図
【図７】コンバインの右側全体側面図
【図８】他の実施例を示す図で、ロードクリーナ装置の収納装置部の拡大背面図
【図９】他の実施例を示す図で、ロードクリーナ装置の収納装置部の拡大側断面図
【図１０】他の実施例を示す図で、ロードクリーナ装置の保持板部の拡大背面図
【図１１】他の実施例を示す図で、ロードクリーナ装置の保持板部の拡大側面図
【図１２】他の実施例を示す図で、ロードクリーナ装置の主清掃ガイドのブラシ部の              拡大背面図
【図１３】他の実施例を示す図で、ロードクリーナ装置の主清掃ガイドのブラシ部の              拡大側断面図
【図１４】他の実施例を示す図で、ロードクリーナ装置の主清掃ガイドの飛散防止板              部の拡大背面図
【図１５】他の実施例を示す図で、ロードクリーナ装置の主清掃ガイドの飛散防止板              部の拡大背面図
【図１６】他の実施例を示す図で、ロードクリーナ装置の主清掃ガイドの飛散防止板              部の拡大背面図
【符号の説明】
【００６３】
２      走行車台
３      走行装置
３ａ    走行クローラ
４      刈取機
５      脱穀機
７      カッタ装置
８      ロードクリーナ装置
８ａ    主清掃ガイド
８ｂ    補助清掃ガイド
９      支持装置
９ａ    回動用モータ
Ｌ１    全巾
Ｌ２    全巾
Ｍ１    隙間
【図１】
2005263163.tif 000003
【図２】
2005263163.tif 000004
【図３】
2005263163.tif 000005
【図４】
2005263163.tif 000006
【図５】
2005263163.tif 000007
【図６】
2005263163.tif 000008
【図７】
2005263163.tif 000009
【図８】
2005263163.tif 000010
【図９】
2005263163.tif 000011
【図１０】
2005263163.tif 000012
【図１１】
2005263163.tif 000013
【図１２】
2005263163.tif 000014
【図１３】
2005263163.tif 000015
【図１４】
2005263163.tif 000016
【図１５】
2005263163.tif 000017
【図１６】
2005263163.tif 000018